(57)【要約】【課題】下流側に配置すべき鋼管柱部材を確実に下流側に配置でき、上流側に配置すべき鋼管柱部材を確実に上流側に配置できる経済的な鋼製スリットダムを提供する。【解決手段】上流側の鋼管柱部材１と下流側の鋼管柱部材４とを、各鋼管柱部材１，４の上部を相互に接近させると共に、各鋼管柱部材１，４の下部を相互に離反させるように傾斜させ、鋼管柱部材間を結合する水平部材２を有する骨組構造体を備えた鋼製スリットダム１４において、下流側の鋼管柱部材１の傾斜角度Ａを、上流側の鋼管柱部材４の傾斜角度Ｂよりも急傾斜の傾斜角度とし、上流側の鋼管柱部材１と下流側の鋼管柱部材４の法勾配を変える。【選択図】図２
2006312871.tif 000002
【特許請求の範囲】
【請求項１】
上流側の鋼管柱部材と下流側の鋼管柱部材とを、各鋼管柱部材の上部を相互に接近させると共に各鋼管柱部材の下部を相互に離反させるように傾斜させ、鋼管柱部材間を結合する水平部材を有する骨組構造体を備えた鋼製スリットダムにおいて、
前記上流側の鋼管柱部材の法勾配と前記下流側の鋼管柱部材の法勾配とが相互に異なっており、
鉛直方向の長さを１としたとき、前記下流側の鋼管柱部材の法勾配の水平方向の長さが０．２であり、前記上流側の鋼管柱部材の法勾配の水平方向の長さが０．３〜０．４であることを特徴とする鋼製スリットダム。
【発明の詳細な説明】
【技術分野】
【０００１】
本発明は、通常の中小出水に含まれる比較的粒径の細かい掃流土砂は、積極的に透過させて下流に流し土石流発生までのダム上流の貯砂容量を確保し、土石流発生時には、土石流中の巨礫・流木や多量の土砂を捕捉して河川下流への流出を防止するための透過型構造の鋼製スリットダムに関する。
【背景技術】
【０００２】
従来、鋼製柱部材を備えた鋼製スリットダムとして、鋼製柱部材を傾斜させることにより、流されてくる木や岩石による柱部材に作用する衝撃力の一部を基礎コンクリートに分力として作用させ、構造上の強度を高めた鋼製砂防ダムが知られている（例えば、特許文献１参照）。
【０００３】
また、図６は従来の鋼製スリットダムの一例を示す一部縦断側面図である。図６に示すように、上流側の鋼管柱部材１と下流側の鋼管柱部材４との鋼管柱部材間を結合する水平部材２を備えた截頭角錐状の立体骨組構造体５を使用し、かつ立体骨組構造体５における上流側の鋼管柱部材１と下流側の鋼管柱部材４とを、同じ傾斜角で傾斜するようにした鋼製スリットダム１５も知られている（例えば、特許文献２参照）。
【０００４】
【特許文献１】特開昭２００２−３２７４２４号公報
【特許文献２】特開２００１−３０３５３８号公報
【発明の開示】
【発明が解決しようとする課題】
【０００５】
しかしながら、図６に示す形態では、さらに上流側の鋼管柱部材１を下流側の鋼管柱部材４の板厚よりも、板厚の厚い鋼管柱部材としていた。このような上流側の鋼管柱部材１と下流側の鋼管柱部材４とを同じ傾斜角で傾斜させた鋼製スリットダム１５を構築する場合、現場作業において、上流側および下流側の鋼管柱部材１，４が比較的長尺の同様な寸法であり、これらの平面形状を目視しずらく、また、鋼管柱部材１，４の板厚について外側から確認できないため、下流側に配置すべき板厚の薄い鋼管柱部材４を上流側に設置したり、上流側に配置すべき板厚の厚い鋼管柱部材１を下流側に設置したりする虞もあり、その確認作業も外観上からでは、判別しずらいという問題がある。
【０００６】
また、上流側の鋼管柱部材１と下流側の鋼管柱部材４とを、比較的緩傾斜の同じ傾斜角で傾斜するようにした鋼製スリットダム１５としていたので、下流側の鋼管柱部材４の柱部材寸法が長くなると共に、上流方向から下流方向への基礎幅が広くなり基礎コンクリート量も多くなるので、施工コストの高い鋼製スリットダム１５になる。また、下流側の鋼管柱部材４は、上流側の鋼管柱部材１と同じ緩傾斜の角度であると、鋼製スリットダム１５を乗り越えてきた土石が下流側の鋼管柱部材４に直撃する確率が高い鋼製スリットダム１５である。したがって、より経済的な鋼製スリットダムとすることが望まれると共に、また、乗り越えてきた土石が下流側の鋼管柱部材４に直撃する確率が低い鋼製スリットダムとすることが望まれる。
【０００７】
本発明は、上流側および下流側の鋼管柱部材が比較的長尺の同様な寸法であっても、これらの平面形状を目視しずらくても、また、鋼管柱部材の板厚について外側から確認できなくても、下流側に配置すべき鋼管柱部材を確実に下流側に配置でき、上流側に配置すべき鋼管柱部材を確実に上流側に配置でき、その誤配置も容易に発見できる鋼製スリットダムを提供することを目的とする。また、上流方向から下流方向への基礎幅が狭くてすみ、より経済的な鋼製スリットダムであると共に、乗り越えてきた土石が下流側の鋼管柱部材に直撃する確率の低い鋼製スリットダムを提供することを目的とする。
【課題を解決するための手段】
【０００８】
前記の従来の問題点を有利に解決するために、本発明の鋼製スリットダムにおいては、上流側の鋼管柱部材と下流側の鋼管柱部材とを、各鋼管柱部材の上部を相互に接近させると共に各鋼管柱部材の下部を相互に離反させるように傾斜させ、鋼管柱部材間を結合する水平部材を有する骨組構造体を備えた鋼製スリットダムにおいて、前記上流側の鋼管柱部材の法勾配と前記下流側の鋼管柱部材の法勾配とが相互に異なっており、鉛直方向の長さを１としたとき、前記下流側の鋼管柱部材の法勾配の水平方向の長さが０．２であり、前記上流側の鋼管柱部材の法勾配の水平方向の長さが０．３〜０．４であることを特徴とする。
【発明の効果】
【０００９】
本発明によれば、上流側の鋼管柱部材と下流側の鋼管柱部材とを、各鋼管柱部材の上部を相互に接近させると共に各鋼管柱部材の下部を相互に離反させるように傾斜させ、鋼管柱部材間を結合する水平部材を有する骨組構造を備えた鋼製スリットダムにおいて、下流側の鋼管柱部材の傾斜角度を、上流側の鋼管柱部材の傾斜角度よりも急傾斜の傾斜角度とし、上流側の鋼管柱部材と下流側の鋼管柱部材の法勾配を変えたので、同じ高さ寸法の上流側の鋼管柱部材と下流側の鋼管柱部材であっても、横倒し状態では長さ寸法が異なるため容易に区別でき、また、誤って上流側と下流側とを誤配置した場合でも、水平部材あるいは取付けフランジの水平度あるいは垂直度が出ない状態となるので、現場作業者が容易に気づくことができる。したがって、上流側の鋼管柱部材の板厚を下流側の鋼管部材の板厚よりも厚くした剛性の大きい鋼管柱部材を上流側に使用して、板厚が外側から確認できなくても、下流側に配置すべき鋼管柱部材を確実に下流側に配置でき、上流側に配置すべき鋼管柱部材を確実に上流側に配置でき、その誤配置も容易に発見できる。また、本発明では、下流側の鋼管柱部材の傾斜角度を、上流側の鋼管柱部材の傾斜角度よりも急傾斜の傾斜角度としたので、下流側の鋼管柱部材の柱部材の長さ寸法が短くなり経済的になると共に、上流方向から下流方向への基礎幅が狭くなり、配筋量および基礎コンクリート量も少なくなるので、施工コストの安い鋼製スリットダムになる。また、下流側の鋼管柱部材は、上流側の鋼管柱部材より急傾斜の角度であるので、鋼製スリットダムを乗り越えてきた土石が下流側の鋼管柱部材に直撃する確率が従来の鋼製スリットダムより低い鋼製スリットダムであるまた、本発明によると、鋼管柱部材と水平部材が断面円形鋼管であるので、市販の鋼管を使用して、施工の容易な安価な鋼製スリットダムとすることができる。
【発明を実施するための最良の形態】
【００１０】
以下、本発明を実施するための最良の形態について、図面を参照して詳細に説明する。
【００１１】
図１は本発明の一実施形態に係る鋼製スリットダムを示す正面図であり、図２は図１に示す鋼製スリットダムの一部縦断側面図である。また、図３は上流側から見た立体骨組み構造体の背面図であり、図４は下流側から見た立体骨組み構造体の正面図である。更に、図５は上流側および下流側の鋼管柱部材の法勾配を示す説明図である。図１〜４に示すように、左右方向に間隔をおいて配置された上流側配置の鋼管柱部材１相互が、これらに取付けられた左右方向に張り出す水平部材２先端の取付フランジ３相互がボルト・ナットにより固定されて連結され、左右方向に間隔をおいて配置された下流側配置の鋼管柱部材４相互が、これらに取付けられた左右方向に張り出す水平部材２先端の取付フランジ３相互がボルト・ナットにより固定されて連結され、前後方向に間隔をおいて配置された上流側配置の前記鋼管柱部材１と下流側配置の前記鋼管柱部材４とは、これらに取付けられた前後方向に張り出す水平部材２先端の取付フランジ３相互またはその間に配置される中間水平部材２ａ先端の取付フランジ３がボルト・ナットにより固定されて、截頭角錐状の立体骨組み構造体５が構成され、複数の立体骨組み構造体５が左右方向（幅方向）に間隙（スリット）１０をおいて配置されると共に各立体骨組み構造体５の下部がコンクリート基礎部１２に埋め込み固定されて、立体骨組み構造体５を主要素とする鋼製スリットダム１４が構成されている。
【００１２】
また、上流側の各鋼管柱部材１の下端部および下流側の各鋼管柱部材４の下端部には、それぞれ水平状態で鋼製座板６，７が溶接により固定されていると共に、前記鋼製座板６，７と鋼管柱部材１，４に溶接により固着された周方向の多数の補強リブ８により補強されている。前記各鋼製座板６，７は、図示省略のアンカーボルトによりコンクリート基礎部１２に固定され、各鋼管柱部材１の下部と共に埋め込み固定されている。
【００１３】
また前記各取付けフランジ３は、前記補強リブ８と同様に取付けフランジ３と鋼管製水平部材２または鋼管製の中間水平部材２ａに溶接により固着された周方向の多数の補強リブ９により補強されている。
【００１４】
また、中心軸線が同じ垂直面に位置するように配置された上流側の鋼管柱部材１と下流側の鋼管柱部材４とは、これらの上部が間隔をおいて相互に接近させると共に前記各鋼管柱部材１，４の下部を相互に離反させるように傾斜させて配置され、鋼管柱部材間を結合する水平部材２を備えた立体骨組構造体５からなる骨組構造を主要素とする鋼製スリットダム１４とされている。
【００１５】
また、下流側の鋼管柱部材４の傾斜角度Ａを、上流側の鋼管柱部材１の傾斜角度Ｂよりも急傾斜の傾斜角度とされ、上流側の鋼管柱部材１と下流側の鋼管柱部材４の法勾配を変えている鋼製スリットダム１４とされている。
【００１６】
上流側から流れてくる流木や岩石による上流側の鋼管柱部材１が受ける衝撃力は、垂直に立設された上流側の鋼管柱部材１の場合は大になるが、本発明のように上流側の鋼管柱部材１の傾斜角度Ｂではその衝撃力を小さくでき、さらに本発明のように、下流側の鋼管柱部材４の傾斜角度Ａを、上流側の鋼管柱部材１の傾斜角度Ｂよりも急傾斜の傾斜角度とすることにより、下流側の鋼管柱部材４の柱部材の長さ寸法が短くなると共に、上流方向から下流方向への基礎幅が狭くなり、配筋量および基礎コンクリート量も少なくなるので、施工コストの安い鋼製スリットダム１４になる。また、下流側の鋼管柱部材４は、上流側の鋼管柱部材１より急傾斜の角度であるので、鋼製スリットダム１４を乗り越えてきた土石が下流側の鋼管柱部材４に直撃する確率がより低い鋼製スリットダム１４である。したがって、従来より経済的な鋼製スリットダムとすることができると共に、また、乗り越えてきた土石が下流側の鋼管柱部材４に直撃する確率が低い鋼製スリットダムとされている。
【００１７】
下流側の鋼管柱部材４は、水平面に対して直角な鉛直であると部材寸法が短くなり経済的であり、スリットダムを乗り越えてきた流木や岩石が転げ落ちる場合に緩傾斜しているとその衝撃力を受けるようになるため、鉛直であるほどよいが、下部が下流側に位置するように急傾斜しているほうが、上流側の鋼管柱部材１が受ける衝撃力に対し支承する抵抗力があり、構造上有利である。
【００１８】
これらのことを考えると、例えば、上流側および下流側の鋼管柱部材の法勾配は、図５に示すように、鉛直方向の長さを１とした場合、水平方向の長さを０．２〜０．４とする1：０．２〜０．４、好ましくは、1：０．２〜０．３とするとよい。したがって、例えば、下流側の鋼管柱部材４の法勾配を1：０．２とし、上流側の鋼管柱部材４の法勾配を1：０．３とした組み合わせ形態とするとよく、図示例では、この形態が示されている。
【００１９】
上流側の鋼管柱部材１と下流側の鋼管柱部材４の上端外間隔は、強度上は短いほうが有利で、ベース間隔も短くなり、基礎コンクリート量も減らすことができるため、組立施工性を考慮して１．５〜２．５ｍ程度に適宜設定される。
【００２０】
また、前記のように、下流側の鋼管柱部材４の傾斜角度Ａを、上流側の鋼管柱部材１の傾斜角度Ｂよりも急傾斜の傾斜角度とすることにより、同じ高さとした場合でも、下流側の鋼管柱部材４の長さ寸法が、上流側の鋼管柱部材１の長さ寸法よりも短くなるので、施工現場付近のヤードに横置きされた状態でも、上流側の鋼管柱部材１と下流側の鋼管柱部材４の長さ寸法差により容易に区別でき、また、上流側の鋼管柱部材１を下流側に、下流側の傾斜角度Ａで配置した場合、前後方向の各水平部材２が水平でなくなると共にその水平部材２に固定の取付けフランジ３は垂直でなくなるので、設置作業の時点において、作業者が容易に設置部材の誤りに気づくことができる。
【００２１】
同様に、下流側の鋼管柱部材４を上流側に、上流側の傾斜角度Ｂで配置した場合、前後方向の各水平部材２が水平でなくなると共にその水平部材２に固定の取付けフランジ３は垂直でなくなるので、設置作業の時点において、作業者が容易に設置部材の誤りに気づくことができる。
【００２２】
また、誤って上流側の鋼管柱部材１を下流側に、下流側の傾斜角度Ａで配置しても、正しく配置された上流側の鋼管柱部材１と、誤って下流側に下流側の傾斜角度Ａで配置された上流側に配置すべき鋼管柱部材１との、水平部材２先端のフランジ３が上下に位置ずれしたり、離反した状態になるので、予め立体骨組み構造体５に組み立てる場合でも、その組み立てができないので、作業者は容易に気づくことができる。
【００２３】
同様に、誤って下流側の鋼管柱部材４を上流側に、上流側の傾斜角度Ｂで配置しても、正しく配置された下流側の鋼管柱部材４と、誤って上流側に上流側の傾斜角度Ｂで配置された下流側に配置すべき鋼管柱部材４との、水平部材２先端のフランジ３が上下に位置ずれしたり、離反した状態になるので、予め立体骨組み構造体５に組み立てる場合でも、その組み立てができないので、作業者は容易に気づくことができる。
【００２４】
さらに、誤って下流側の鋼管柱部材４を上流側に、上流側の傾斜角度Ｂで配置し、かつ、誤って上流側の鋼管柱部材１を下流側に、下流側の傾斜角度Ａで配置しても同様に、水平部材２先端のフランジ３が上下に位置ずれしたり、離反した状態になるので、予め立体骨組み構造体５に組み立てる場合でも、その組み立てができないので、作業者は容易に気づくことができる。
【００２５】
したがって、鋼管柱部材１，４を誤った配置した場合には、作業者が容易に気づくことができる構成とされているので、上流側の鋼管柱部材１を上流側に、また下流側の鋼管柱部材４を下流側に確実に配置することができる。
【００２６】
また、上流側の鋼管柱部材１の板厚は、下流側の鋼管柱部材４の板厚よりも厚くするのが、構造上合理的で好ましい。
【００２７】
鋼管柱部材１と水平部材２として、断面円形鋼管であると、市販の安価な鋼管を使用でき、経済的な鋼製スリットダムとなる。
【００２８】
本発明を実施する場合、鋼製柱部材１は、横断面円形以外の鋼管製柱部材としてもよく、鋼製柱部材１内の下部にコンクリートを充填し、鋼製柱部材１の下部の剛性を高めてもよく、鋼製柱部材１内に砂を充填してもよい。
【図面の簡単な説明】
【００２９】
【図１】本発明の一実施形態に係る鋼製スリットダムを示す正面図である。
【図２】図１の鋼製スリットダムの一部縦断側面図である。
【図３】上流側から見た立体骨組み構造体の背面図である。
【図４】下流側から見た立体骨組み構造体の正面図である。
【図５】上流側および下流側の鋼管柱部材の法勾配を示す説明図である。
【図６】従来の鋼製スリットダムの一例を示す一部縦断側面図である。
【符号の説明】
【００３０】
１  上流側の鋼管柱部材
２  水平部材
３  取付フランジ
４  下流側の鋼管柱部材
５  立体骨組み構造体
６、７  鋼製座板
８、９  補強リブ
１０  スリット
１２  コンクリート基礎部
１４、１５  鋼製スリットダム
【図１】
2006312871.tif 000003
【図２】
2006312871.tif 000004
【図３】
2006312871.tif 000005
【図４】
2006312871.tif 000006
【図５】
2006312871.tif 000007
【図６】
2006312871.tif 000008